(57)【特許請求の範囲】
【請求項１】
使用時に箱状に組み立てられ、不使用時に前記箱状よりも容積が小さい板状に折り畳み可能な折り畳み式コンテナであって、
当該折り畳み式コンテナの組立時に、格納される物品の下方に配置される底板部と、
前記底板部の側縁部に立設状態で配置される複数の側壁部と、
前記複数の側壁部の上縁部側に配置される蓋部と、
を備え、
前記底板部は、前記複数の側壁部のうちの一つの側壁部を収容可能な収容空間部を内部に有し、
前記一つの側壁部は、隣接する他の側壁部および前記底板部に対して着脱可能であり、かつ前記底板部の収容空間部に対して収容自在に配置され、前記隣接する他の側壁部の下縁部側および前記底板部の側縁部側にそれぞれ形成された嵌合部と嵌合可能で、かつ当該嵌合部を結ぶ方向を軸として回動可能な構造の支持係合部を備えることを特徴とする折り畳み式コンテナ。
【請求項２】
前記嵌合部は、少なくとも前記支持係合部が前記底板部の板面に沿った方向に移動可能となるような形状で形成された嵌合溝を有し、
前記一つの側壁部は、前記支持係合部を移動支点として前記嵌合部の前記嵌合溝に沿ってスライド自在に前記収容空間部に収容されることを特徴とする請求項１に記載
の折り畳み式コンテナ。
【請求項３】
前記複数の側壁部は、前記一つの側壁部が配置される部分以外の上縁部側でそれぞれフレーム部によって連結され、
前記蓋部は、前記一つの側壁部が配置される部分以外の上縁部側で前記フレーム部に対して回動可能に取り付けられていることを特徴とする請求項１〜２のいずれか一つに記載の折り畳み式コンテナ。
【請求項４】
前記一つの側壁部は、隣接する前記他の側壁部および前記底板部に取り付けられた場合に、当該隣接する他の側壁部にそれぞれ形成されたロック穴とそれぞれ係合する可動ロック片を有するロック部によって係止固定されることを特徴とする請求項１〜３のいずれか一つに記載の折り畳み式コンテナ。
【発明の詳細な説明】
【技術分野】
【０００１】
本発明は、梱包物などの物品を運搬するためのコンテナに関し、特に折り畳みが可能でいわゆるピッキングなどの作業性を向上させることができる折り畳み式コンテナに関する。
【背景技術】
【０００２】
近年、工業製品などの梱包物に代表される物品の運搬用として、たとえば運搬時にはこれらの物品を格納して運搬することができるとともに、不使用時には折り畳んで容積を小さくし、余分なスペースを不要とすることができる折り畳み式コンテナが多く用いられている。
【０００３】
このような折り畳み式コンテナは、たとえばつぎのように構成されている。すなわち、従来の折り畳み式コンテナとしての通箱は、矩形板状の底板部と複数の側壁部とを備えている。第１の側壁部と隣接する側壁部には、格納部内の物品を格納部外へ取り出すための取出孔が、第１の側壁部の内面に沿う位置に形成され、この取出孔を閉塞する閉塞板が格納部の内部に設けられている。また、各側壁部は、底板部に対して、各側縁の位置で展開状態と立設状態とに折り曲げ自在に連設されている。
【０００４】
そして、組立時には、まず、第１の側壁部を除く他の側壁部を立設状態にしたうえで、隣接する側壁部同士を互いに着脱自在に連結する。その後、閉塞板の上端側に少なくとも第１の側壁部の上縁部と取出孔が形成された側壁部の上縁部とが差し込まれる差込部を形成して、閉塞板によって第１の側壁部を立設状態で姿勢保持する。これにより、物品運搬後の保管容積を小さくして、すなわち、通箱の体積を小さくして保管や運送にかかるコストの低減を図ることができる構成となっている（たとえば、特許文献１参照。）。
【０００５】
また、このような折り畳み式コンテナとしての組立式保温通箱は、たとえば全体が耐久性発泡ポリオレフィンからなる箱本体が、四辺形の底板部と、この底板部の各辺にヒンジ部を介して直立自在とされた側壁部と、蓋部とを備えている。隣接する側壁部の互いの接合面には、密接状態での嵌合を自在とする嵌合凸部と嵌合凹部とが設けられ、さらに側壁部の上縁の全部あるいは一部には嵌合凸部が設けられている。
【０００６】
そして、対向する側壁部にヒンジ部を介して設けた蓋部としての蓋板あるいは別体の蓋体に、側壁部の上縁の嵌合凸部と密接状態で嵌合自在となる嵌合凹部を設けることにより、容易に組み立てや分解を繰り返しておこなうことができる構成となっている（たとえば、特許文献２参照。）。
【０００７】
【特許文献１】特開平１１−２４５９８２号公報
【特許文献２】特開２００３−２６７３４６号公報
【発明の開示】
【発明が解決しようとする課題】
【０００８】
しかしながら、上記特許文献１に記載された従来技術の折り畳み式コンテナでは、たとえば閉塞板を開閉して側壁部の一部に形成された取出孔からコンテナ内に格納されている物品をピッキングする構造のため、物品のサイズやコンテナ内における物品の格納位置などによってはピッキング作業の作業性が著しく悪化してしまうという問題がある。
【０００９】
また、上記特許文献２に記載された従来技術の折り畳み式コンテナでは、蓋部あるいは側壁部を開閉してコンテナ内に格納されている物品をピッキングする構造であり、ピッキングの作業状況によっては、コンテナの上方あるいは側方からピッキングをすることはできるが、蓋部および側壁部を同時に開閉することができる構造ではないため、上述した場合と同様に、やはり物品のサイズやコンテナ内における物品の格納位置などにピッキングの作業性が左右されてしまうという問題がある。
【００１０】
本発明は、上記課題を解決するためになされたもので、蓋部を開閉することができるとともに容易に側壁部を着脱することができ、機械的強度を保ったまま開放面積を広げてピッキングなどの作業性を向上させることができる折り畳み式コンテナを提供することを目的とする。
【課題を解決するための手段】
【００１１】
上記課題を解決するために、本発明にかかる折り畳み式コンテナは、使用時に箱状に組み立てられ、不使用時に前記箱状よりも容積が小さい板状に折り畳み可能な折り畳み式コンテナであって、当該折り畳み式コンテナの組立時に、格納される物品の下方に配置される底板部と、前記底板部の側縁部に立設状態で配置される複数の側壁部と、前記複数の側壁部の上縁部側に配置される蓋部と、を備え、前記底板部は、前記複数の側壁部のうちの一つの側壁部を収容可能な収容空間部を内部に有し、前記一つの側壁部は、隣接する他の側壁部および前記底板部に対して着脱可能であり、かつ前記底板部の収容空間部に対して収容可能に配置されていることを特徴とする。
【００１２】
本発明の折り畳み式コンテナによれば、組立時に底板部の側縁部に立設状態で配置される複数の側壁部のうちの一つの側壁部が、隣接する他の側壁部および底板部に対して着脱可能かつ底板部の収容空間部に対して収容自在に配置される。このため、ピッキングなどの作業時に着脱可能に配置された一つの側壁部を取り外してその側壁部の配置部分を全面的に開放した状態で作業をおこなうことができ、作業性を著しく向上させることができる。また、取り外した一つの側壁部を、底板部の収容空間部に収容してピッキングなどの作業をおこなうことができ、コンテナ構成部材の紛失などの不具合の発生を効果的に防止することが可能となる。
【００１３】
また、本発明にかかる折り畳み式コンテナの前記一つの側壁部は、前記隣接する他の側壁部の下縁部側および前記底板部の側縁部側にそれぞれ形成された嵌合部と嵌合可能で、かつ当該嵌合部を結ぶ方向を軸として回動可能な構造の支持係合部を備えることを特徴とする。
【００１４】
このため、一つの側壁部を支持係合部を介して回動させることにより、隣接する他の側壁部から完全に取り外さなくても一つの側壁部の配置部分をほぼ全面的に開放することができ、コンテナの機械的強度を保ちつつピッキングなどの作業性を向上させることができる。
【００１５】
また、本発明にかかる折り畳み式コンテナの前記嵌合部は、少なくとも前記支持係合部が前記底板部の板面に沿った方向に移動可能となるような形状で形成された嵌合溝を有し、前記一つの側壁部は、前記支持係合部を移動支点として前記嵌合部の前記嵌合溝に沿ってスライド自在に前記収容空間部に収容されることを特徴とする。
【００１６】
このため、隣接する他の側壁部から取り外された一つの側壁部を、支持係合部を移動支点として底板部の板面に沿った方向に嵌合部の嵌合溝に沿ってスライド移動させて底板部の収容空間部に収容することができ、一つの側壁部の収容作業を容易におこなうことが可能となる。
【００１７】
また、本発明にかかる折り畳み式コンテナの前記複数の側壁部は、前記一つの側壁部が配置される部分以外の上縁部側でそれぞれフレーム部によって連結され、前記蓋部は、前記一つの側壁部が配置される部分以外の上縁部側で前記フレーム部に対して回動可能に取り付けられていることを特徴とする。
【００１８】
このため、蓋部を完全に開放した状態で一つの側壁部を取り外した場合でも、フレーム部によって機械的強度を保ったまま連続する二面を開放状態とすることができ、ピッキングなどの作業性を著しく向上させることができる。
【００１９】
また、本発明にかかる折り畳み式コンテナの前記一つの側壁部は、隣接する前記他の側壁部および前記底板部に取り付けられた場合に、当該隣接する他の側壁部にそれぞれ形成されたロック穴とそれぞれ係合する可動ロック片を有するロック部によって係止固定されることを特徴とする。
【００２０】
このため、一つの側壁部を、隣接する他の側壁部および底板部に対してロック部によって強固かつ確実に係止固定することができ、一つの側壁部の取付時における機械的強度を確実に向上させることが可能となる。
【発明を実施するための最良の形態】
【００２１】
以下に添付図面を参照して、本発明にかかる折り畳み式コンテナの好適な実施の形態を詳細に説明する。
【００２２】
図１は、本実施の形態にかかる折り畳み式コンテナの使用時（組立時）における外観を示す外観斜視図である。また、図２は、図１に示した折り畳み式コンテナの蓋部を開放した状態を示す外観斜視図である。また、図３は、図２に示した折り畳み式コンテナの一部を拡大して詳細に示す一部拡大斜視図である。
【００２３】
また、図４は、図２に示した折り畳み式コンテナの一部を図２中矢印Ａ方向から見た状態を一部を透過して示す一部透過正面図である。また、図５は、図２に示した折り畳み式コンテナの一部を図２中矢印Ｂ方向から見た状態を一部を透過して示す一部透過側面図である。また、図６は、図４に示した折り畳み式コンテナの一部を拡大して示す一部透過拡大正面図である。
【００２４】
図１および図２に示すように、折り畳み式コンテナ１００は、たとえば、ポリプロピレンなどの樹脂成形部材からなり、いわゆるパタコンなどに代表される工業製品などの物品の輸送に用いられる折り畳み式のコンテナであり、複数の側壁部１０１〜１０３および一つの側壁部である着脱スライド収容式側壁部１１０と、蓋部１０４，１０５と、底板部１０６とを備えて構成されている。
【００２５】
複数の側壁部１０１〜１０３および着脱スライド収容式側壁部１１０は、折り畳み式コンテナ１００の組立時に、それぞれ底板部１０６の側縁部に立設状態で配置される。蓋部１０４，１０５は、これら複数の側壁部１０１〜１０３および着脱スライド収容式側壁部１１０の上縁部側に配置される。底板部１０６は、格納される図示しない物品の下方に配置され、たとえば着脱スライド収容式側壁部１１０の配置側端面に開口を有し、この着脱スライド収容式側壁部１１０を収容可能な収容空間部１３０が内部に形成された構造を備えている。
【００２６】
なお、複数の側壁部１０１〜１０３は、着脱スライド収容式側壁部１１０が配置される部分以外の上縁部側で、たとえばこれら複数の側壁部１０１〜１０３と一体成形された上方フレーム部１０９によって連結されている。このように上方フレーム部１０９によって各側壁部１０１〜１０３が連結されることにより、折り畳み式コンテナ１００の折り畳み時や組立時においても、所定の機械的強度を維持することが可能となる。
【００２７】
また、蓋部１０４，１０５は、たとえば側壁部１０１，１０３の上縁部側において、蝶番部１０８を介して上方フレーム部１０９に対してそれぞれ回動可能（開閉可能）に配置され、図２に示すような完全開放状態のときは、各蓋部１０４，１０５の板面が各側壁部１０１，１０３の外壁面に沿うような状態で配置される。
【００２８】
また、複数の側壁部１０１〜１０３のうち、側壁部１０１，１０３は、たとえば折れ目１０７に沿って内壁側に折り畳まれる構造を備えており、側壁部１０２は、上方フレーム部１０９を支点として内壁側に折り込まれる構造を備えている。
【００２９】
一方、着脱スライド収容式側壁部１１０は、折り畳み式コンテナ１００の複数の側壁部１０１〜１０３のうち、隣接する側壁部１０１，１０３および底板部１０６に対して着脱可能であり、かつ底板部１０６の収容空間部１３０に対して収容自在に配置されている。
【００３０】
この着脱スライド収容式側壁部１１０は、たとえば図３に示すように、隣接する各側壁部１０１，１０３の上縁部側の上方フレーム部１０９の内壁側にそれぞれ形成された固定用嵌合溝１１９（側壁部１０１側のみ図示）と嵌合可能な構造の固定用支持係合部１１１をそれぞれ備えている。
【００３１】
また、この着脱スライド収容式側壁部１１０は、たとえば図４および図５に示すように、隣接する側壁部１０１（側壁部１０３においても同様）の下縁部側および底板部１０６の側縁部側にそれぞれ形成された嵌合溝１３１（底板部１０６側のみ図示）と嵌合可能な構造の支持係合部１３２をそれぞれ備えている。
【００３２】
固定用支持係合部１１１および支持係合部１３２は、たとえば各側壁部１０１，１０３の固定用嵌合溝１１９間および嵌合溝１３１間を結ぶ方向を軸とする円柱状本体部と、この円柱状本体部の先端側にそれぞれ形成され、円柱状本体部の外径よりも大きな外径を有する円板状先端部とを備えた、いわゆる固定ピン形状の外観を有する。
【００３３】
そして、固定用嵌合溝１１９は、上方フレーム部１０９の上縁部側に固定用支持係合部１１１を挿抜可能な開口部を有するとともに、この開口部と連通しこれら固定用支持係合部１１１の円板状先端部を内包する形状の空間部と、この空間部と連通し円柱状本体部が嵌る形状のスリット部とを備えて構成されている。
【００３４】
また、嵌合溝１３１は、隣接する各側壁部１０１，１０３の下縁部側および底板部１０６の側縁部側にそれぞれ形成されるとともに、底板部１０６の収容空間部１３０と連通しており、上述したような円板状先端部を内包する空間部と、円柱状本体部が嵌る形状のスリット部とを備えて構成されている。
【００３５】
そして、支持係合部１３２は、上述した固定用支持係合部１１１と同様に、各嵌合溝１３１間を結ぶ方向を軸とする円柱状本体部および円板状先端部によって形成されている。このため、各固定用支持係合部１１１を各固定用嵌合溝１１９から抜脱するとともに、各支持係合部１３２と各嵌合溝１３１とを嵌合した状態のときに、着脱スライド収容式側壁部１１０は、各嵌合溝１３１間を結ぶ方向を軸として側壁部１０１，１０３に対して回動可能な構造を備える。
【００３６】
この場合、本実施の形態の折り畳み式コンテナ１００では、各支持係合部１３２をいわゆる固定支点として、着脱スライド収容式側壁部１１０を折り畳み式コンテナ１００に格納される図示しない物品の反対側に回動させ、全面的に開放状態とすることができる構造を実現している。なお、着脱スライド収容式側壁部１１０は、折り畳み式コンテナ１００の物品格納側に回動することも可能である。
【００３７】
また、このように構成された着脱スライド収容式側壁部１１０は、各側壁部１０１，１０３および底板部１０６に対して取り付けられた場合に、折り畳み式コンテナ１００の機械的強度を保ったままこの取付状態を維持し、着脱スライド収容式側壁部１１０と各側壁部１０１，１０３および底板部１０６とを係止固定するためのロック部１２０を備えている。
【００３８】
なお、これら図４〜図６においては、主に折り畳み式コンテナ１００の側壁部１０１側に着目して着脱スライド収容式側壁部１１０と側壁部１０１との様子について図示しているが、側壁部１０３側においても同様であるため、説明を省略する。また、以降において、既に説明した部分と重複する箇所については同一の符号を附して説明を省略する。
【００３９】
図４および図５に示すように、着脱スライド収容式側壁部１１０は、側壁部１０１の上方フレーム部１０９の内壁側に形成された固定用嵌合溝１１９に固定用支持係合部１１１を嵌合するとともに、側壁部１０１の下縁部側に形成された嵌合溝１３１に支持係合部１３２を嵌合することによって、側壁部１０１に固定され取り付けられる。
【００４０】
また、着脱スライド収容式側壁部１１０は、側壁部１０１の内壁に形成された、その先端部を側壁部１０２側に折り曲げた形状の図示しない係止爪に外壁の側縁部近傍に形成された図示しない係止凹部を係合することによって、側壁部１０１に固定され取り付けられる構造としてもよい。
【００４１】
さらに、着脱スライド収容式側壁部１１０は、外壁の下方側縁部の中央近傍に形成された図示しない係止凹部を底板部１０６の側縁部の中央近傍に形成された図示しない可倒式係止爪と係合することによって、底板部１０６に固定され取り付けられる構造としてもよい。そして、着脱スライド収容式側壁部１１０は、ロック部１２０によって、これら側壁部１０１および底板部１０６と確実に係止固定される構造を備えていてもよい。
【００４２】
この着脱スライド収容式側壁部１１０のロック部１２０は、たとえば側壁部１０１の内壁に形成されたロック穴１１６と係合する可動ロック片１２１と、この可動ロック片１２１を側壁部１０１の方向に出し入れするためのカムピン１２２およびカム溝１２３と、このカム溝１２３が形成された本体部１２５と、この本体部１２５を着脱スライド収容式側壁部１１０の下縁部方向に付勢するための弾性付勢片１２４とを備えて構成されている。
【００４３】
なお、着脱スライド収容式側壁部１１０は、このような構造によって側壁部１０１，１０３および底板部１０６と完全に係止固定されるため、各側壁部１０１，１０３方向へのガタつきや底板部１０６方向へのガタつきは発生しづらく、これら側壁部１０１，１０３および底板部１０６と機械的強度を保ったまま確実に係止固定される。
【００４４】
また、上述したロック部１２０は、通常、可動ロック片１２１が外側に出た状態となるため、着脱スライド収容式側壁部１１０の完全取付時には、常に可動ロック片１２１とロック穴１１６とが係合した状態となるため、着脱スライド収容式側壁部１１０の側壁部１０２方向へのガタつきも防止することができ、さらに確実に係止固定することができる。
【００４５】
なお、このロック部１２０による側壁部１０１とのロック状態を解除するためには、まず、本体部１２５を図中黒塗り矢印（図４および図６参照）で示す方向（着脱スライド収容式側壁部１１０の上方向）に動かす。すると、弾性付勢片１２４（図４参照）が変形しながら適度な抵抗感を演出しつつ本体部１２５が上方向に移動し、図６に示すように、カム溝１２３とカムピン１２２とが摺接しながらカムピン１２２が図中白抜き矢印（図６参照）で示す方向（側壁部１０１方向と反対方向）へ移動する。これにより、可動ロック片１２１が同様に反対方向へ移動して、ロック穴１１６との係合状態が解除される。
【００４６】
また、図５に示すように、着脱スライド収容式側壁部１１０は、支持係合部１３２が側壁部１０１（側壁部１０３においても同様）の下縁部側にそれぞれ形成された嵌合溝１３１と嵌合しており、各嵌合溝１３１間を結ぶ方向を軸として、図中矢印５１０に示す方向に回動可能な構造を備えている。さらに、側壁部１０１，１０３の下縁部側にそれぞれ形成された嵌合溝１３１は、底板部１０６の側壁部１０１，１０３と接する側縁部側に連続して延びて形成されている。
【００４７】
底板部１０６の側縁部側に形成された嵌合溝１３１は、収容空間部１３０と連通しており、着脱スライド収容式側壁部１１０の支持係合部１３２が底板部１０６の板面に沿った方向に移動可能となる形状で底板部１０６の側縁部側にそれぞれ形成されている。そして、着脱スライド収容式側壁部１１０は、支持係合部１３２を移動支点として嵌合溝１３１に沿ってスライド自在に底板部１０６の収容空間部１３０に収容される。なお、この底板部１０６の側縁部側に形成された嵌合溝１３１は、着脱スライド収容式側壁部１１０が配置されている側に開口部を有している。
【００４８】
さらに、嵌合溝１３１の開口部近傍の空間部には、たとえば突起状の形状で形成され、着脱スライド収容式側壁部１１０の支持係合部１３２を構成する円板状先端部と一時的に係止して、着脱スライド収容式側壁部１１０が不用意に開口部から外れてしまうことを防止するための止め部１４０が設けられている。
【００４９】
そして、着脱スライド収容式側壁部１１０は、このように構成された嵌合溝１３１に沿って支持係合部１３２をいわゆる移動支点としてスライド自在に移動されることにより、底板部１０６の収容空間部１３０内に収容される。つぎに、着脱スライド収容式側壁部１１０を底板部１０６の収容空間部１３０内に収容する際の収容動作について簡単に説明する。
【００５０】
図７−１〜図７−５は、折り畳み式コンテナの断面の一部を示す簡易側面図である。図７−１に示すように、着脱スライド収容式側壁部１１０は、側壁部１０１の上縁部側の上方フレーム部１０９の内壁側に形成された固定用嵌合溝１１９に固定用支持係合部１１１を嵌合するとともに、側壁部１０３の下縁部側に形成された嵌合溝１３１に支持係合部１３２を嵌合することによって、側壁部１０３に固定され取り付けられている。そして、着脱スライド収容式側壁部１１０を底板部１０６の収容空間部１３０に収容する際には、まず、着脱スライド収容式側壁部１１０を図中矢印７１０で示す、底板部１０６の板面と略直交する方向に引き上げる。
【００５１】
このように着脱スライド収容式側壁部１１０を引き上げた場合、図７−２に示すように、固定用支持係合部１１１は、固定用嵌合溝１１９から上方に外れた状態となっている。このため、着脱スライド収容式側壁部１１０は、各嵌合溝１３１を結ぶ方向を軸とする支持係合部１３２を回動支点として図中矢印７２０で示す方向に回動することができる状態となり、さらに隣接する他の側壁部１０１および側壁部１０３（図２参照）に対して着脱可能な状態となる。
【００５２】
なお、固定用嵌合溝１１９および側壁部１０１の下縁部側に形成された嵌合溝１３１は、底板部１０６の板面と略直交する方向に延びた形状である。また、側壁部１０１の下縁部側に形成された嵌合溝１３１は、固定用嵌合溝１１９よりも所定の長さ分だけ長く延びて形成されている。
【００５３】
具体的には、嵌合溝１３１は、着脱スライド収容式側壁部１１０を底板部１０６の板面と略直交する方向に引き上げて、固定用支持係合部１１１を固定用嵌合溝１１９から取り外すための逃げの部分の長さだけ、固定用嵌合溝１１９より長く形成されている。ここで、たとえば逃げの部分としての所定の長さは、上述した固定用支持係合部１１１の円柱状本体部の先端部に形成された円板状先端部の直径と同じ長さか、あるいはそれ以上の長さであるとよい。
【００５４】
そして、図７−３に示すように、着脱スライド収容式側壁部１１０を図中矢印７３０に示す方向にさらに回動させていくことによって、折り畳み式コンテナ１００の着脱スライド収容式側壁部１１０が配置されていた部分を徐々に開放することが可能となる。その後、着脱スライド収容式側壁部１１０を、たとえばその壁面が底板部１０６の板面に沿った方向と略平行となるところまで回動させることによって、着脱スライド収容式側壁部１１０を全面的に開放した状態とすることができる。
【００５５】
このように、着脱スライド収容式側壁部１１０を全面的に開放した状態となるところまで回動させると、図７−４に示すように、支持係合部１３２は、底板部１０６の側縁部側に形成された嵌合溝１３１にスライド移動した状態となる。このとき、支持係合部１３２が嵌合溝１３１に設けられた止め部１４０によって、開口部側から外れないように係止されているため、着脱スライド収容式側壁部１１０が底板部１０６からユーザの意図に反して外れてしまうことを防ぎ、収容動作につながる回動動作を円滑におこなうことが可能となる。そして、着脱スライド収容式側壁部１１０を図中矢印７４０に示す方向にスライド移動させて底板部１０６の収容空間部１３０に収容する。
【００５６】
こうして、着脱スライド収容式側壁部１１０の固定用支持係合部１１１を嵌合溝１３１に設けられた止め部１４０を乗り越えた部分までスライド移動させると、図７−５に示すように、着脱スライド収容式側壁部１１０が底板部１０６の収容空間部１３０に完全に収容された状態となる。このとき、固定用支持係合部１１１が嵌合溝１３１に設けられた止め部１４０に一時的に係止することによって、着脱スライド収容式側壁部１１０の図中矢印７５０で示す底板部１０６の板面に沿った方向への動きを制限することができ、着脱スライド収容式側壁部１１０の収容空間部１３０からの不意な脱落を防止することができる。
【００５７】
このように、本実施の形態の折り畳み式コンテナ１００では、着脱スライド収容式側壁部１１０を底板部１０６の側縁部に形成された嵌合溝１３１に沿ってスライド移動させて、底板部１０６の収容空間部１３０に収容することができ、着脱スライド収容式側壁部１１０の収容作業を容易におこなうことができる。このとき、折り畳み式コンテナ１００の着脱スライド収容式側壁部１１０が配置されていた部分を全面的に開放することができるため、ピッキングなどの作業をおこなう際の作業性を著しく向上させることができる。
【００５８】
なお、図７−５に示すように、底板部１０６の収容空間部１３０に収容した着脱スライド収容式側壁部１１０を、収容空間部１３０から取り出す際の利便性を考慮して、着脱スライド収容式側壁部１１０の上縁部側に摘み部１４１を設ける構成としてもよい。この場合、ユーザは、摘み部１４１を摘み、図中矢印７５０に示す方向に着脱スライド収容式側壁部１１０をスライド移動させることによって、着脱スライド収容式側壁部１１０を収容空間部１３０から取り出すことができる。また、上述した着脱スライド収容式側壁部１１０は、支持係合部１３２（図７−４参照）を嵌合溝１３１の止め部１４０を乗り越えさせて開口部から取り外すことによって、折り畳み式コンテナ１００から完全に取り外すこともできる。
【００５９】
図８は、図２に示した折り畳み式コンテナから着脱スライド収容式側壁部を取り外して底板部の収容空間部に収容した状態を示す外観斜視図である。なお、図８においては、各側壁部１０１〜１０３の内壁側の構造については省略して図示している。
【００６０】
図８に示すように、本実施の形態の折り畳み式コンテナ１００において、蓋部１０４，１０５を開放状態にした後、着脱スライド収容式側壁部１１０を側壁部１０１，１０３から取り外して底板部１０６の収容空間部１３０に収容すると、蓋部１０４，１０５で閉塞していた部分と着脱スライド収容式側壁部１１０で閉塞していた部分とが開放され、物品などの格納部１５０における連続した二面を、機械的強度を保ったまま開放状態とすることができる。
【００６１】
このように連続した二面を開放することによって、ピッキングなどの作業時における作業性を著しく向上させることができる。また、蓋部１０４，１０５を各側壁部１０１，１０３の外壁側にほぼ一体的に開放し、着脱スライド収容式側壁部１１０を底板部１０６の収容空間部１３０に完全に収容することによって、ピッキングなどの作業時における作業スペースの省スペース化を図りつつ、作業時などにおける着脱スライド収容式側壁部１１０の紛失等の防止を図ることができる。
【００６２】
なお、ピッキングなどの作業が終了し、再び折り畳み式コンテナ１００を組み立てる必要がある場合は、底板部１０６の収容空間部１３０に収容された着脱スライド収容式側壁部１１０を取り出して各側壁部１０１，１０３および底板部１０６に固定して取り付けることによって、容易に組立時の状態に戻すことが可能である。
【００６３】
図９は、本実施の形態にかかる折り畳み式コンテナの不使用時（折畳時）における外観を示す外観斜視図である。図９に示すように、折り畳み式コンテナ１００は、着脱スライド収容式側壁部１１０を底板部１０６の収容空間部１３０に収容し、各側壁部１０１〜１０３をそれぞれ上方フレーム部１０９を残した状態で折り畳み、各蓋部１０４，１０５を閉じた状態とすることにより、組立時において箱状となっていた状態から、容積が小さくなる板状に折り畳むことができる。
【００６４】
この折り畳み状態においては、折り畳み式コンテナ１００は、たとえば複数個積み重ねた状態のときにようやく組立時の折り畳み式コンテナ１００と同様の容積となるため、運搬効率を著しく向上させることができるとともに、保管スペースなどの省スペース化を図ることができ、全体的なコストの削減を図ることが可能となる。
【００６５】
以上説明したように、本発明の実施の形態の折り畳み式コンテナによれば、組立時に底板部１０６の側縁部に立設状態で配置される複数の側壁部１０１〜１０３，１１０のうちの一つの側壁部が着脱スライド収容式側壁部１１０として、隣接する他の側壁部１０１，１０３および底板部１０６に対して着脱可能かつ底板部１０６の収容空間部１３０に対して収容自在に配置される。
【００６６】
このため、いわゆるピッキングなどの作業時に着脱可能に配置された着脱スライド収容式側壁部１１０を側壁部１０１，１０３および底板部１０６から取り外して、着脱スライド収容式側壁部１１０の配置部分を全面的に開放した状態で作業をおこなうことができ、作業性を著しく向上させることができる。
【００６７】
また、複数の側壁部１０１〜１０３は、着脱スライド収容式側壁部１１０が配置される部分以外の上縁部側でそれぞれ上方フレーム部１０９によって連結され、蓋部１０４，１０５は、着脱スライド収容式側壁部１１０が配置される部分以外の上縁部側で上方フレーム部１０９に対して回動可能に取り付けられている。
【００６８】
このため、蓋部１０４，１０５を完全に開放しかつ着脱スライド収容式側壁部１１０を側壁部１０１，１０３および底板部１０６から取り外すことで、上方フレーム部１０９によって機械的強度を保ったまま連続する二面を開放状態とすることができ、ピッキングなどの作業性を著しく向上させることができる。
【００６９】
また、着脱スライド収容式側壁部１１０は、隣接する側壁部１０１，１０３および底板部１０６から取り外された場合に、底板部１０６の収容空間部１３０に収容自在な構造を備えている。このため、取り外した着脱スライド収容式側壁部１１０を底板部１０６の収容空間部１３０に収容した状態でピッキングなどの作業をおこなうことができ、作業時などにおける着脱スライド収容式側壁部１１０の紛失等の不具合の防止を図ることができる。
【００７０】
また、着脱スライド収容式側壁部１１０は、隣接する側壁部１０１，１０３の下縁部側にそれぞれ形成された嵌合溝１３１と嵌合可能で、かつ当該嵌合溝１３１間を結ぶ方向を軸として回動可能な構造の支持係合部１３２を備えている。このため、着脱スライド収容式側壁部１１０を支持係合部１３２を介して回動させることにより、隣接する側壁部１０１，１０３から完全に取り外さなくても着脱スライド収容式側壁部１１０の配置部分をほぼ開放することができるため、機械的強度を保ちつつピッキングなどの作業性を向上させることができる。
【００７１】
また、着脱スライド収容式側壁部１１０は、隣接する側壁部１０１，１０３および底板部１０６に取り付けられた場合に、これら側壁部１０１，１０３にそれぞれ形成されたロック穴１１６とそれぞれ係合する可動ロック片１２１を有するロック部１２０によって係止固定されている。このため、着脱スライド収容式側壁部１１０を、隣接する側壁部１０１，１０３および底板部１０６に対してロック部１２０によって強固かつ確実に係止固定することができ、着脱スライド収容式側壁部１１０の取付時における機械的強度を確実に向上させることができる。
【図面の簡単な説明】
【００７２】
【図１】折り畳み式コンテナの使用時における外観を示す外観斜視図。
【図２】蓋部を開放した状態を示す外観斜視図。
【図３】折り畳み式コンテナの一部を拡大して詳細に示す一部拡大斜視図。
【図４】図２中矢印Ａ方向から見た状態を一部を透過して示す一部透過正面図。
【図５】図２中矢印Ｂ方向から見た状態を一部を透過して示す一部透過側面図。
【図６】折り畳み式コンテナの一部を拡大して示す一部透過拡大正面図。
【図７−１】折り畳み式コンテナの断面の一部を示す簡易側面図。
【図７−２】折り畳み式コンテナの断面の一部を示す簡易側面図。
【図７−３】折り畳み式コンテナの断面の一部を示す簡易側面図。
【図７−４】折り畳み式コンテナの断面の一部を示す簡易側面図。
【図７−５】折り畳み式コンテナの断面の一部を示す簡易側面図。
【図８】着脱スライド収容式側壁部を収容した状態を示す外観斜視図。
【図９】折り畳み式コンテナの不使用時における外観を示す外観斜視図。
【符号の説明】
【００７３】
１００  折り畳み式コンテナ、１０１〜１０３  側壁部、１０４，１０５  蓋部、１０６  底板部、１０７  折れ目、１０８  蝶番部、１０９  上方フレーム部、１１０  着脱スライド収容式側壁部、１１１  固定用支持係合部、１１６  ロック穴、１１９  固定用嵌合溝、１２０  ロック部、１２１  可動ロック片、１２２  カムピン、１２３  カム溝、１２４  弾性付勢片、１２５  本体部、１３０  収容空間部、１３１  嵌合溝、１３２  支持係合部、１４０  止め部
【図１】
0004779617.tif 000002
【図２】
0004779617.tif 000003
【図３】
0004779617.tif 000004
【図４】
0004779617.tif 000005
【図５】
0004779617.tif 000006
【図６】
0004779617.tif 000007
【図７−１】
0004779617.tif 000008
【図７−２】
0004779617.tif 000009
【図７−３】
0004779617.tif 000010
【図７−４】
0004779617.tif 000011
【図７−５】
0004779617.tif 000012
【図８】
0004779617.tif 000013
【図９】
0004779617.tif 000014